(57)【要約】【課題】施工性、インテリア性がよいレンジフードを提供することを目的とする。【解決手段】油煙を捕集するフード部１と、フード部１の上方に配置され、フード部１が捕集した油煙を排気する送風機１１を内包する排気部２とで構成される本体３と、本体３に固定され、排気部２の少なくとも前方と両側面を囲む主幕板１０と、排気部２と主幕板１０の間に配置される補助幕板９と、補助幕板９を支持するサポータ７を有し、サポータ７を排気部２の前方側に任意の高さで固定できる構成とすることにより、施工性、インテリア性が良いレンジフードを提供できる。【選択図】図１
2005061769.tif 000002
【特許請求の範囲】
【請求項１】
油煙を捕集するフード部と、このフード部の上方に配置され、前記フード部が捕集した油煙を排気する送風機を内包する排気部とで構成され、壁面に取り付けられる本体と、この本体に固定され、前記排気部の少なくとも前方と両側面を囲む主幕板と、前記排気部と前記主幕板の間に配置される補助幕板と、この補助幕板を支持するサポータとを有し、前記サポータを前記排気部の前方側に任意の高さで固定可能な構成としたレンジフード。
【請求項２】
補助幕板の側面上辺の一部が内側に折り曲げられて引掛け部を成し、サポータが排気部に固定される主支持部と、主支持部の上端から後方に伸び、前記引掛け部を保持する補助幕板取付部とからなり、前記排気部の左右に前記サポータを固定する請求項１記載のレンジフード。
【請求項３】
補助幕板の上端の後方側に折り曲げ部を設けない請求項１または２記載のレンジフード。
【請求項４】
排気部の前面側側方に、前記排気部の前面から突出しないように前記サポータを固定する請求項１、２または３記載のレンジフード。
【発明の詳細な説明】
【技術分野】
【０００１】
本発明は、フード部上方を天井等の任意の高さの上限まで幕板で囲むレンジフードに関する。
【背景技術】
【０００２】
従来、この種のレンジフードは、設置完成時のインテリア性を向上させるため、天井までの高さ調整機能有したものが知られている（例えば、特許文献１参照）。
【０００３】
以下、そのレンジフードについて図７〜図９を参照しながら説明する。
【０００４】
図に示すように、下面の開口１０１から油煙を吸い込む送風機１０２を有する外筐１０３と、この外筐１０３の前面側かつ下方に設けられ、上記送風機１０２の制御を行うスイッチ１０４とを備え、上記外筐１０３の前面の高さ寸法よりも上方に突出し、この前面を覆い、上記スイッチ１０４よりも上方に位置する化粧パネル１０５を設け、この化粧パネル１０５を上記外筐１０３の前面に対して進出・退却させる取り付け手段によって、この化粧パネル１０５を上記外筐１０３に保持したものである。
【０００５】
上記レンジフードの施工において、レンジフード本体の取付個所において本体の左右に設けられる吊り戸棚（図示せず）との位置関係において整合性が取れない場合、内側化粧パネル１０６をスライドさせ、任意に化粧パネル１０５の高さを調整する。さらにパネル取付板Ａ１０７およびパネル取付板Ｂ１０８をスライドさせることで、任意に化粧パネル１０５の位置を前後方向に調整して固定できる。パネル取付板Ａ１０７とパネル取付板Ｂ１０８とは個別に前後方向に調整できるので、パネル取付板Ａ１０７とパネル取付板Ｂ１０８の調整量を個別に変えることにより、吊り戸棚などの周囲の状況に即して取り付けられる。
【特許文献１】実公平０８−３３２２０号公報
【発明の開示】
【発明が解決しようとする課題】
【０００６】
このような従来のレンジフードでは、施工時の高さ調整範囲が狭いという課題があり、側面を含めた三方向を覆う幕板と取り付けた場合の高さ調整ができないという課題があった。また、このような従来のレンジフードに対しては、現在キッチンのインテリア志向の向上に合わせて、いわゆるセンターフード式レンジフードといわれる非常にデザイン性の高い商品の取付けに関する要望がある。
【０００７】
センターフード式レンジフードとは、油煙を捕集するフード部と、フード部の上方に配置され、フード部が捕集した油煙を排気する送風機を内包する排気部とで構成された本体において、フード部は曲線形状もしくは円錐形状など特色のある形状を有し、そのフード部の中央後方にフード部よりも平面積が小さい円筒状の排気部が垂直方向に設置され油煙を排気している。このようなセンターフード式レンジフードでは、施工時の高さ調整範囲が狭く、側面を含めた三方向を覆う場合、従来のパネル取付板が外部に露出してしまい、実際には採用できず、インテリア性が高く、なお簡易に取り付けることができるレンジフードが要求されていた。
【課題を解決するための手段】
【０００８】
本発明のレンジフードは上記目的を達成するために、油煙を捕集するフード部と、このフード部の上方に配置され、前記フード部が捕集した油煙を排気する送風機を内包する排気部とで構成され、壁面に取り付けられる本体と、この本体に固定され、前記排気部の少なくとも前方と両側面を囲む主幕板と、前記排気部と前記主幕板の間に配置される補助幕板と、この補助幕板を支持するサポータとを有し、前記サポータを前記排気部の前方側に任意の高さで固定可能な構成としたものである。
【０００９】
また、補助幕板の側面上辺の一部が内側に折り曲げられて引掛け部を成し、サポータが排気部に固定される主支持部と、主支持部の上端から後方に伸び、前記引掛け部を保持する補助幕板取付部とからなり、前記排気部の左右に前記サポータを固定するものである。
【００１０】
また、補助幕板の上端の後方側に折り曲げ部を設けないものである。
【００１１】
また、排気部の前面側側方に、前記排気部の前面から突出しないように前記サポータを固定するものである。
【００１２】
本発明によれば、施工性、インテリア性が良いレンジフードを提供できる。
【発明の効果】
【００１３】
本発明によれば、施工性、インテリア性が良いレンジフードを提供できる。
【発明を実施するための最良の形態】
【００１４】
本発明の請求項１記載の発明は、油煙を捕集するフード部と、このフード部の上方に配置され、前記フード部が捕集した油煙を排気する送風機を内包する排気部とで構成され、壁面に取り付けられる本体と、この本体に固定され、前記排気部の少なくとも前方と両側面を囲む主幕板と、前記排気部と前記主幕板の間に配置される補助幕板と、この補助幕板を支持するサポータとを有し、前記サポータを前記排気部の前方側に任意の高さで固定可能な構成としたレンジフードであり、サポータが前方側に配置されているため、本体を壁に設置した後に容易に補助幕板の施工ができ、また本体にサポータを固定するので、壁に対する作業を省略でき、また、常に本体と補助幕板の横方向の位置関係は一定で、施工時に本体と補助幕板のセンター合わせの作業を省略することができるという作用を有する。
【００１５】
また、請求項２記載の発明は、請求項１記載のレンジフードに、補助幕板の側面上辺の一部が内側に折り曲げられて引掛け部を成し、サポータが排気部に固定される主支持部と、主支持部の上端から後方に伸び、前記引掛け部を保持する補助幕板取付部とからなり、前記排気部の左右に前記サポータを固定するものであり、左右の補助幕板取付部が後方に伸びていることで引掛け部を保持する領域を広くできるので、容易に補助幕板の重心を支えることができ、また容易に補助幕板の水平度を保つことができるという作用を有する。
【００１６】
また、請求項３記載の発明は、請求項１または２記載のレンジフードに、補助幕板の上端の後方側に折り曲げ部を設けないものであり、施工時に壁面と天井面からなるコーナー部にシール剤等の障害物がある場合、容易に補助幕板の後方上端側を切り取りもしくは折り曲げをすることができ、障害物を避けて天井面に接する高さに補助幕板を固定できるという作用を有する。
【００１７】
また、請求項４記載の発明は、請求項１、２または３記載のレンジフードに、排気部の前面側側方に、前記排気部の前面から突出しないように前記サポータを固定することにより、主幕板の大きさを小さくすることができるという作用を有する。
【００１８】
以下、本発明の実施例について図面を参照しながら説明する。
【００１９】
（実施の形態１）
図１および図２に示すように、油煙を捕集するために平面積を広くとったフード部１と、フード部１の上方に設置され、フード部１よりも平面積が小さい排気部２とで構成されるレンジフード本体３は、壁面４に取り付けられる本体固定具５によって固定され、排気ダクト６が屋外に向かい配管がなされる。サポータ７は断面がコの字形の長い棒状で、一つの面には長手方向にスリット穴が設けられている。また排気部２の前面にはサポータ７を固定するためのネジ穴が左右各２個ずつ設けられており、サポータ７のスリット穴の範囲内でサポータ７を天井面８までの高さを調整しながら排気部２に取り付けることができる。また補助幕板９は排気部２の正面と側面を覆い隠すため断面が略コの字形をしており、側面上側に穴を備え、サポータ７の側面上側に設けられたネジ穴に合わせてネジ止めされ固定される。主幕板１０も排気部２の正面と側面を覆い隠すため断面が略コの字形で、補助幕板９よりも板厚分だけ大きく、補助幕板９の下側を覆い隠すようにして本体３に乗せられ、左右からのネジ止めによって本体３に固定される。
【００２０】
フード部１によって集められた油煙は、送風機１１の作用により吸込口１２より排気部２に吸い込まれ、送風機１１、排気ダクト６を通じ、室外に排出される。また吸込口１２には油を捕集するためのフィルター、もしくは手指が送風機１１に触れないようにするガードが設置されている。吸込口１２から排気ダクト６にかけての送風系統内に付着した油は油溜まり１３に流れ込み、収集される。
【００２１】
上記構成により、サポータ７が前方側に配置されているため、本体３を壁面４に設置した後に容易に補助幕板９の施工ができ、また本体３にサポータ７を固定するので、壁面４に対する作業を省略でき、また、常に本体３と補助幕板９の横方向の位置関係は一定に保つことが出き、施工時に本体３と補助幕板９のセンター合わせの作業を省略することができる。
【００２２】
なお、サポータ７に補助幕板９を固定した後、サポータ７を排気部２に固定する手順としても良い。
【００２３】
また、フード部１に送風機１１が内包され、排気部２にはアダプタなど排気系統の一部のみしかない場合、フード部１上面の前方にサポータ７を固定することで同様の効果を得ることができる。
【００２４】
（実施の形態２）
図３に示すように、補助幕板９の側面上辺の一部が内側に折り曲げられて引掛け部１４を成し、サポータ７は主支持部１５と補助幕板取付部１６とからなる構成にされている。
【００２５】
主支持部１５は断面がコの字形の長い棒状で、一つの面には長手方向にスリット穴が設けられている。また排気部２の前面にはサポータ７を固定するためのネジ穴が左右各２個ずつ設けられており、サポータ７のスリット穴の範囲内でサポータ７を天井面８までの高さを調整しながら排気部２に取り付けることができる。
【００２６】
主支持部１５の側面上端にはネジ穴が、また補助幕板取付部１６の一端には穴が設けられており、補助幕板取付部１６を後方へ水平を保ってネジ止めすることができる。補助幕板取付部１６は断面がコの字形の棒状で、主支持部１５への取り付け状態での上面側の幅が引掛け部１４の内寸よりも小さく、引掛け部１４を引掛けることができ、補助幕板９を保持することができる。
【００２７】
上記構成により、左右の補助幕板取付部１６が後方に伸びていることで引掛け部１４を保持する領域を広くできるので、容易に補助幕板９の重心を支えることができ、また容易に補助幕板９の水平度を保つことができる。
【００２８】
なお、左右のサポータ７を梁でつなぎ、左右の高さを容易に均一にできる構成にすればなお良い。
【００２９】
また、補助幕板９と補助幕板取付部１６をネジで固定し、メンテナンス作業時に容易に補助幕板９が落下しない構成にすればなお良い。
【００３０】
（実施の形態３）
図４に示すように、補助幕板９の上端の後方側に折り曲げ部設けない構成にする。
【００３１】
上記構成により、図５に示すように、施工時に壁面４と天井面８からなるコーナー部にシール剤等の障害物１７がある場合、容易に補助幕板９の後方上端側を切り取りもしくは折り曲げをすることができ、障害物１７を避けて天井面８に接する高さに補助幕板９を固定できる。
【００３２】
（実施の形態４）
排気部２の前面側側方に、排気部２の前面から突出しないようにサポータ７を固定する。具体的には、図６に示すように、排気部２の前面側側方に面取りがなされ、面取り面１８にサポータ７が固定される構成となっている。
【００３３】
面取り面１８にはサポータ７を固定するためのネジ穴が設けられており、面取りでできたスペースにサポータ７の主支持部１５を収納して固定することができる。またサポータ７の一面は補助幕板９の側面と平行になっており、上端には補助幕板９を取り付けるためのネジ穴を備え、補助幕板９を固定することができる。
【００３４】
上記構成により、補助幕板９、主幕板１０とサポータ７が干渉することを防ぎ、補助幕板９、主幕板１０の大きさを小さくすることができる。
【産業上の利用可能性】
【００３５】
本発明のレンジフードは、優れた施工性、インテリア性を有し、フード部上方を天井等の任意の高さの上限まで幕板で囲むレンジフード等の用途として有用である。
【図面の簡単な説明】
【００３６】
【図１】本発明の実施の形態１のレンジフードを示す側断面図
【図２】同レンジフードの構成を示す斜視図
【図３】本発明の実施の形態２のレンジフードの構成を示す斜視図
【図４】本発明の実施の形態３のレンジフードの補助幕板を示す斜視図
【図５】同レンジフードの補助幕板を示す側面図
【図６】本発明の実施の形態４のレンジフードを示す平面図
【図７】従来のレンジフードの断面図
【図８】同レンジフードのパネル取付板Ａの取付斜視図
【図９】同レンジフードのパネル取付板Ｂの取付斜視図
【符号の説明】
【００３７】
１      フード部
２      排気部
３      本体
４      壁面
５      本体固定具
６      排気ダクト
７      サポータ
８      天井面
９      補助幕板
１０    主幕板
１１    送風機
１２    吸込口
１３    油溜まり
１４    引掛け部
１５    主支持部
１６    補助幕板取付部
１７    障害物
１８    面取り面
【図１】
2005061769.tif 000003
【図２】
2005061769.tif 000004
【図３】
2005061769.tif 000005
【図４】
2005061769.tif 000006
【図５】
2005061769.tif 000007
【図６】
2005061769.tif 000008
【図７】
2005061769.tif 000009
【図８】
2005061769.tif 000010
【図９】
2005061769.tif 000011